(57)【要約】【課題】より簡単な構成で、入射光を複数の平行な光束に分岐する。【解決手段】光分岐装置は、入射した光を反射する第１面および第２面を有し、当該光を当該第１面および当該第２面の間で伝搬する導光体と、前記第２面上に設けられ、前記導光体を伝搬した光の一部を反射し一部を透過して分岐する第１分岐層と、前記第２面上において前記第１分岐層を透過した光が入射する位置に設けられ、当該入射した光を反射する第１反射面を有する第１透明体と、前記第２面上において、前記第１分岐層で反射して前記第１面で反射した光が入射する位置に設けられ、当該入射した光を反射する第２反射面を有する第２透明体とを有する。【選択図】図１
2015102796.tif 000002
【特許請求の範囲】
【請求項１】
入射した光を反射する第１面および第２面を有し、当該光を当該第１面および当該第２面の間で伝搬する導光体と、
前記第２面側に設けられ、前記導光体を伝搬した光を反射光と透過光に分岐する第１分岐層と、
前記第１分岐層を透過した光を反射する第１部材と、
前記第１分岐層により反射された光を反射する第２部材と
を有し、
前記第１部材で反射した光を前記第１面から出射する光分岐装置。
【請求項２】
前記光が入射する入射面を有し、
前記入射面は、前記第１面の法線に対し角度θ傾いており、
前記角度θは、前記導光体の内部における前記光の伝搬角と等しい
ことを特徴とする請求項１に記載の光分岐装置。
【請求項３】
前記角度θ、前記導光体の厚みｔ、および前記第１部材と前記第２部材との間隔ｄが、
【数１】
2015102796.tif 000009
を満たす
ことを特徴とする請求項１または２に記載の光分岐装置。
【請求項４】
前記第２面に対する前記反射面の角度θ１、前記反射面で反射した光の出射角θ２、および導光体の内部における前記光の伝搬角θが、
【数２】
2015102796.tif 000010
を満たす（角度の単位はdegree）
ことを特徴とする請求項１または２に記載の光分岐装置。
【請求項５】
前記第２面側に設けられ、前記導光体を伝搬した光を反射光と透過光に分岐する第２分岐層を有し、
前記第２分岐層の光の反射率は、前記第１分岐層の光の反射率よりも低い
ことを特徴とする請求項１ないし４のいずれか一項に記載の光分岐装置。
【請求項６】
前記第１部材および前記第２部材を含むｎ個の部材と、
前記第１分岐層および前記第２分岐層を含む（ｎ−１）個の分岐層と
を有し、
前記（ｎ−１）個の分岐層のうち前記光の入射側からｉ番目の分岐層の反射率が
【数３】
2015102796.tif 000011
である
ことを特徴とする請求項５に記載の光分岐装置。
【請求項７】
前記第１部材および前記第２部材を含むｎ個の部材を有し、
前記ｎ個の部材が、前記第２面において２方向に配置されている
ことを特徴とする請求項１ないし６のいずれか一項に記載の光分岐装置。
【請求項８】
入射光を１次元的に分岐させ、複数の光束を出力する１次元光分岐装置と、
前記１次元光分岐装置から出力された前記複数の光束を２次元的に分岐させる２次元光分岐装置と
を有し、
前記１次元光分岐装置は、
入射した光を反射する第１面および第２面を有し、当該光を当該第１面および当該第２面の間で伝搬する導光体と、
前記第２面側に設けられ、前記導光体を伝搬した光を反射光と透過光に分岐する第１分岐層と、
前記第１分岐層を透過した光を反射する第１部材と、
前記第１分岐層により反射された光を反射する第２部材と
を有し、
前記第１部材で反射した光を前記第１面から出射し、
前記２次元光分岐装置は、
入射した光を反射する第３面および第４面を有し、当該光を当該第３面および当該第４面の間で伝搬する導光体と、
前記第４面側に設けられ、前記導光体を伝搬した光を反射光と透過光に分岐する第２分岐層と、
前記第２分岐層を透過した光を反射する第３部材と、
前記第２分岐層により反射された光を反射する第４部材と
を有し、
前記第３部材で反射した光を前記第３面から出射する
ことを特徴とする光分岐装置。
【請求項９】
前記第１導光体と前記第２導光体とが接合されており、
前記第１導光体と前記第２導光体との界面に、前記光を反射する反射層を有する
ことを特徴とする請求項８に記載の光分岐装置。
【請求項１０】
前記２次元光分岐装置から出力された光を反射する反射面を有する
ことを特徴とする請求項８または９に記載の光分岐装置。
【発明の詳細な説明】
【技術分野】
【０００１】
本発明は、光分岐装置に関する。
【背景技術】
【０００２】
一の光束を複数の光束に分岐させる種々の技術が知られている。特許文献１は、音響光学素子にレーザーを入射し、回折現象を用いてレーザー光を分岐させる技術を開示している。このとき、音波信号で回折角度を変調している。特許文献２は、導光体を使わずに、ハーフミラーを用いてレーザー光を複数に分岐させる技術を開示している。特許文献３は、導光体に配置した複数のハーフミラーにより光を分岐させる技術を開示している。
【先行技術文献】
【特許文献】
【０００３】
【特許文献１】特開２００９−２４８１７３号公報
【特許文献２】特開平１１−５１８６号公報
【特許文献３】特許第２８８８６０２号公報
【発明の概要】
【発明が解決しようとする課題】
【０００４】
特許文献１に記載の技術においては、入射光を複数の平行な光束に分岐できないという問題があった。特許文献２に記載の技術においては、光軸合わせが難しい、埃に弱い、携帯性に劣るなどの問題があった。特許文献３においては、分岐光の間隔と出射角度を独立に設計することができず、また、製造コストも高いという問題があった。
【０００５】
これに対し本発明は、より簡単な構成で、入射光を複数の平行な光束に分岐する技術を提供する。
【課題を解決するための手段】
【０００６】
本発明は、入射した光を反射する第１面および第２面を有し、当該光を当該第１面および当該第２面の間で伝搬する導光体と、前記第２面側に設けられ、前記導光体を伝搬した光を反射光と透過光に分岐する第１分岐層と、前記第１分岐層を透過した光を反射する第１部材と、前記第１分岐層により反射された光を反射する第２部材とを有し、前記第１部材で反射した光を前記第１面から出射する光分岐装置を提供する。
この光分岐装置によれば、導光体、第１部材、第２部材、および半反射層を用いた構成で、入射光を複数の光束に分岐することができる。
【０００７】
前記光が入射する入射面を有し、前記入射面は、前記第１面の法線に対し角度θ傾いており、前記角度θは、前記導光体の内部における前記光の伝搬角と等しくてもよい。
この光分岐装置によれば、入射用の部材を用いなくても、外部から導光体内に入射光を導くことができる。
【０００８】
前記角度θ、前記導光体の厚みｔ、および前記第１部材と前記第２部材との間隔ｄが、
【数１】
2015102796.tif 000003
を満たしてもよい。
この光分岐装置によれば、入射光の角度、導光体の厚み、または第１部材と第２部材との間隔を所望の値に設計することができる。
【０００９】
前記第２面に対する前記反射面の角度θ１、前記反射面で反射した光の出射角θ２、および導光体の内部における前記光の伝搬角θが、
【数２】
2015102796.tif 000004
を満たしてもよい（角度の単位はdegree）。
この光分岐装置によれば、角度θ１、出射角θ２、または伝搬角θを所望の値に設計することができる。
【００１０】
この光分岐装置は、前記第２面側に設けられ、前記導光体を伝搬した光を反射光と透過光に分岐する第２分岐層を有し、前記第２分岐層の光の反射率は、前記第１分岐層の光の反射率よりも低くてもよい。
この光分岐装置によれば、出射光の強度をより均一にすることができる。
【００１１】
この光分岐装置は、前記第１部材および前記第２部材を含むｎ個の部材と、前記第１分岐層および前記第２分岐層を含む（ｎ−１）個の分岐層とを有し、前記（ｎ−１）個の分岐層のうち前記光の入射側からｉ番目の分岐層の反射率が
【数３】
2015102796.tif 000005
であってもよい。
この光分岐装置によれば、出射光の強度をより均一にすることができる。
【００１２】
この光分岐装置は、前記第１部材および前記第２部材を含むｎ個の部材を有し、前記ｎ個の部材が、前記第２面において２方向に配置されていてもよい。
この光分岐装置によれば、入射光を二次元的に分岐することができる。
【００１３】
また、本発明は、入射光を１次元的に分岐させ、複数の光束を出力する１次元光分岐装置と、前記１次元光分岐装置から出力された前記複数の光束を２次元的に分岐させる２次元光分岐装置とを有し、前記１次元光分岐装置は、入射した光を反射する第１面および第２面を有し、当該光を当該第１面および当該第２面の間で伝搬する導光体と、前記第２面側に設けられ、前記導光体を伝搬した光を反射光と透過光に分岐する第１分岐層と、前記第１分岐層を透過した光を反射する第１部材と、前記第１分岐層により反射された光を反射する第２部材とを有し、前記第１部材で反射した光を前記第１面から出射し、前記２次元光分岐装置は、入射した光を反射する第３面および第４面を有し、当該光を当該第３面および当該第４面の間で伝搬する導光体と、前記第４面側に設けられ、前記導光体を伝搬した光を反射光と透過光に分岐する第２分岐層と、前記第２分岐層を透過した光を反射する第３部材と、前記第２分岐層により反射された光を反射する第４部材とを有し、前記第３部材で反射した光を前記第３面から出射する光分岐装置を提供する。
この光分岐装置によれば、入射光を二次元的に分岐することができる。
【００１４】
前記第１導光体と前記第２導光体とが接合されており、前記第１導光体と前記第２導光体との界面に、前記光を反射する反射層を有してもよい。
この光分岐装置によれば、第１導光体で分岐した光を第２導光体でさらに分岐することができる。
【００１５】
この光分岐装置は、前記２次元光分岐装置から出力された光を反射する反射面を有してもよい。
この光分岐装置によれば、２次元光分岐装置と反射面との間に被照射体を置いた場合に、被照射体における光路を２倍にすることができる。
【図面の簡単な説明】
【００１６】
【図１】第１実施形態に係る光分岐装置１の構成を示す図。
【図２】第２実施形態に係る光分岐装置２の構成を示す図。
【図３】光分岐素子２１の構成を示す図。
【図４】光分岐素子２２の構造を説明する図。
【図５】出射光強度のシミュレーション結果を例示する図。
【図６】第３実施形態に係る光分岐装置３の構成を示す図。
【発明を実施するための形態】
【００１７】
１．第１実施形態
図１は、本発明の第１実施形態に係る光分岐装置１の構成を示す図である。光分岐装置１は、入射光をｎ本の（複数の）光束に分岐する装置である。図１の例では、入射光を４つの光束に分岐している（ｎ＝４）。この例で、分岐された光束の出射位置は、一直線上に配置されている。すなわち、光分岐装置１は、一次元の光分岐装置である。なお、図１は、入射光の伝搬方向および分岐された光束の出射方向に平行な断面の模式図を示している。
【００１８】
光分岐装置１は、導光体１１およびｎ個の透明体１２を有する。
【００１９】
導光体１１は、光を伝搬する構造体であり、光を透過する材料、例えば、石英ガラスにより形成されている。導光体１１は、板状の形状を有しており、面１１１および面１１２を有する。面１１１および面１１２は互いに平行な面であり、図１の例では導光体１１の上面および下面である。導光体１１に入射した光は、面１１１と面１１２とで交互に反射しながら導光体１１の内部を伝搬する（図１の例では左から右に伝搬する）。なお図１では、光の伝搬方向をｚ軸、面１１１および面１１２の法線方向をｙ軸と定義している。
【００２０】
導光体１１は、さらに、光が入射する入射面（面１１３）を有する。この例で、面１１３は、面１１１および面１１２の法線に対して角度θ傾いている。角度θは、入射光の入射角（導光体１１内の光の伝播角）と等しい。
【００２１】
面１１２には、（ｎ−１）個の半反射層が設けられている。半反射層とは、入射した光の一部を反射し、一部を透過する層、すなわち入射した光を反射光と透過光に分岐する層（分岐層）をいう。図１の例ではｎ＝４なので、３つの半反射層（半反射層１１２１〜１１２３）が設けられている。半反射層は、例えば、回折格子、金属薄膜、または誘電体薄膜により形成される。（ｎ−１）個の半反射層は、一定の間隔で配置されている。具体的には、導光体１１への光の入射角θ、導光体１１の厚みｔ、および半反射層の間隔ｄは、次式（１）を満たす。
【数４】
2015102796.tif 000006
【００２２】
半反射層の間隔ｄは、出射光（分岐光）の間隔ｄに相当する。入射角θが与えられた場合、出射光の間隔ｄを所望の値にするためには、式（１）に従って導光体１１の厚みｔを設計すればよい。あるいは、出射光の間隔ｄおよび導光体１１の厚みｔが与えられた場合、式（１）に従って入射角θを設計すればよい。
【００２３】
ここで、各半反射層の透過率と反射率とは必ずしも等しくない。この例では、ｎ個の半反射層のうち光の入射側からｉ番目の半反射層の反射率ｒは、次式（２）で表される。
【数５】
2015102796.tif 000007
【００２４】
具体的には、半反射層１１２１の反射率ｒ１は、ｒ１＝３／４＝７５％（透過率２５％）であり、半反射層１１２２の反射率ｒ２は、ｒ２＝２／３＝６７％（透過率３３％）であり、半反射層１１２３の反射率ｒ３は、ｒ３＝１／２＝５０％（透過率５０％）である。半反射層１１２３から光の進行方向に距離ｄ離れた位置には半反射層は設けられていない。なお、ここでは損失がゼロの理想的な半反射層を仮定している。
【００２５】
ｎ個の透明体１２は、半反射層を透過した光の光路を変更する素子（部材）であり、この例ではプリズムである。透明体１２は、導光体１１内を伝搬する光の光路上の、半反射層に対応する位置に設けられている。半反射層を透過した光は透明体１２内を伝搬するため、透明体１２は導光体１１と同じ材料で形成されることが好ましい。透明体１２と導光体１１とが違う材料で形成される場合であっても、両者の屈折率の差が小さいことが好ましい。
【００２６】
透明体１２は、面１１２に対して角度θ１傾いた反射面１２１を有する。半反射層を透過した光は、反射面１２１で反射して導光体１１内を伝搬して面１１１から出射される。面１１１および面１１２の法線に対する出射光の角度（出射角）はθ２である。なお図１の例ではθ２＝０°である（出射光は面１１１に垂直である）ので、θ２は図示していない。ここで、角度θ１、出射角θ２、および導光体１１内における光の伝搬角θは、次式（３）を満たす。なお、角度の単位はdegree（°）である。
【数６】
2015102796.tif 000008
【００２７】
入射角θが与えられた場合、出射角θ２を所望の値にするためには、式（３）に従って透明体１２の反射面１２１の角度θ１を設計すればよい。なお、透明体１２の反射面１２１の角度θ１は、透明体１２毎に個別に設計することもできる。すなわち、出射角θ２を出射光毎に異ならせることもできる。
【００２８】
ここで、具体例として、厚さ７ｍｍの導光体を用いて２５ｍｍの間隔で出射角９０°の出射光を得る例を考える。式（１）から、
θ＝２９．２４８８°
が得られる。さらに、式（３）から、
θ１＝３０．３７５６°
が得られる。これらのパラメータに従って、導光体１１および透明体１２を設計すればよい。
【００２９】
光分岐装置１の機能を説明する。ここでは、入射側からｉ番目の透明体１２を透明体１２（ｉ）と表し、透明体１２（ｉ）の反射面１２１を反射面１２１（ｉ）と表す。入射角θで入射した光は、面１１１および面１１２で繰り返し反射しつつ、図中ｚ軸正方向に伝搬する。半反射層１１２１において、入射光の７５％が反射する（ここで、「入射光」とは、外部から導光体１１に入射した光を指す）。入射光の残りの２５％は半反射層１１２１で透過して透明体１２（１）に入射する。透明体１２（１）に入射した光は反射面１２１（１）で反射し、導光体１１を透過して面１１１から出射する。
【００３０】
半反射層１１２１で反射した光は、面１１１で反射して半反射層１１２２に達する。半反射層１１２２において、ここまで伝播した光（この時点では入射光の７５％）の６６％（入射光の５０％）が反射する。ここまで伝播した光の残りの３３％（入射光の２５％）は半反射層１１２２で透過して透明体１２（２）に入射する。透明体１２（２）に入射した光は反射面１２１（２）で反射し、導光体１１を透過して面１１１から出射する。
【００３１】
半反射層１１２２で反射した光は、面１１１で反射して半反射層１１２３に達する。半反射層１１２３において、ここまで伝播した光（この時点では入射光の５０％）の５０％（入射光の２５％）が反射する。ここまで伝播した光の残りの５０％（入射光の２５％）は半反射層１１２３で透過して透明体１２（３）に入射する。透明体１２（３）に入射した光は反射面１２１（３）で反射し、導光体１１を透過して面１１１から出射する。
【００３２】
半反射層１１２３で反射した光は、面１１１で反射して面１１２に達する。この位置には半反射層が設けられておらず、透明体１２（４）が設けられているので、面１１２に達した光（この時点では入射光の２５％）は、導光体１１と透明体１２との界面では反射せず、すべてが透明体１２（４）に入射する。透明体１２（４）に入射した光は反射面１２１（４）で反射し、導光体１１を透過して面１１１から出射する。
【００３３】
このように、光分岐装置１によれば、入射光の１／ｎ（この例では２５％）の強度を有するｎ本の光束を、等間隔ｄで取り出すことができる。光分岐装置１は、導光体、半反射層、および反射面（プリズム）という簡単な構成を有しており、このような簡単な構成で、高精度で効率の良い光分岐を行うことができる。
【００３４】
２．第２実施形態
図２は、第２実施形態に係る光分岐装置２の構成を示す図である。図２は、光分岐装置２を出射光に対して斜め下から見た概略図である。光分岐装置１は一次元の光分岐装置であったのに対し、光分岐装置２は二次元の光分岐素子である。すなわち、分岐された光束の出射位置は、２以上の方向に配置されている。この例で、出射位置は、ｍ×ｎのマトリクス状に配置されている。すなわち、光分岐装置２は、入射光を（ｍ×ｎ）本の光束に分岐する（図２の例ではｍ＝ｎ＝４である）。
【００３５】
光分岐装置２は、光分岐素子２１および光分岐素子２２を有する。光分岐素子２１は一次元の光分岐素子であり、入射光をｎ本の光束に分岐する。光分岐素子２２は、光分岐素子２１から出力されるｎ本の光束の各々を、さらにｍ本の光束に分岐する。なお図２では、光分岐素子２１における光の伝搬方向をｚ軸、光分岐素子２１における反射面の法線方向をｙ軸、ｚ軸およびｙ軸の双方に垂直な方向をｘ軸と定義している。
【００３６】
図３は、光分岐素子２１の構成を示す図である。図３は、入射光の伝搬方向および分岐された光束の出射方向に平行な断面の模式図を示している。なお、光分岐素子２１は、光分岐装置１と同様の構成を有している。
【００３７】
光分岐素子２１は、導光体２１１およびｎ個の透明体２１２を有する。導光体２１１および透明体２１２については、導光体１１および透明体１２と同様である。導光体２１１は、板状の形状を有しており、面２１１１および面２１１２を有する。面２１１１および面２１１２は互いに平行な面であり、図３の例では導光体２１１の上面および下面である。導光体２１１に入射した光は、面２１１１と面２１１２とで交互に反射しながら導光体２１１の内部を伝搬する。導光体２１１は、さらに、光が入射する入射面（面２１１３）を有する。この例で、面２１１３は、面２１１１および面２１１２の法線に対して角度θ傾いている。角度θは、入射光の入射角（導光体２１１内の光の伝播角θ１０）と等しい。
【００３８】
面２１１２には、（ｎ−１）個の半反射層が設けられている。図３の例ではｎ＝４なので、３つの半反射層（半反射層２１１２１〜２１１２３）が設けられている。半反射層は、例えば、回折格子、金属薄膜、または誘電体薄膜により形成される。（ｎ−１）個の半反射層は、一定の間隔ｄ２で配置されている。
【００３９】
透明体２１２は、面２１１２に対して角度θ１１傾いた反射面を有する。半反射層を透過した光は、この反射面で反射して導光体２１１内を伝搬して面２１１１から出射される。面２１１１および面２１１２の法線に対する出射光の角度（出射角）はθ１２である。なお図３の例ではθ１２＝０°である（出射光は面２１１１に垂直である）ので、θ１２は図示していない。
【００４０】
図４は、光分岐素子２２の構造を説明する図である。図４は、入射光の伝搬方向および分岐された光束の出射方向に平行な断面の模式図を示している。光分岐素子２２は、導光体２２１およびｍ個の透明体２２２を有する。導光体２２１および透明体２２２については、導光体１１および透明体１２と同様である。また、導光体２２１および透明体２２２は、導光体２１１および透明体２１２と同じ材料で形成されることが好ましい。
【００４１】
導光体２２１は、板状の形状を有しており、面２２１１および面２２１２を有する。面２２１１および面２２１２は互いに平行な面であり、図４の例では導光体２２１の上面および下面である。導光体２２１に入射した光は、面２２１１と面２２１２とで交互に反射しながら導光体２２１の内部を伝搬する。導光体２２１は、さらに、光分岐素子２１から出力された光が入射する入射面（面２２１３）を有する。この例で、面２２１３は、光分岐素子２１の面２１１１と接合されている（すなわち、導光体２１１と導光体２２１とが接合されている）。ただし、導光体２１１と導光体２２１とを光学接着してしまうと、面２１１１において光が全反射しなくなってしまう（導光体２１１内を光が伝搬しなくなってしまう）ので、全反射させる領域には反射層を形成する。反射層は、例えば、空気層（この場合導光体２１１の面２１１１上に凹部を設ける）、金属薄膜、誘電体薄膜等により形成される。
【００４２】
この例で、面２２１３は、面２２１１および面２２１２の法線に対して角度θ２０傾いている。角度θ２０は、入射光の入射角（導光体２２１内の光の伝播角）と等しい。
【００４３】
面２２１２には、（ｍ−１）個の半反射層が設けられている。図４の例ではｍ＝４なので、３つの半反射層（半反射層２２１２１〜２２１２３）が設けられている。半反射層は、例えば、回折格子、金属薄膜、または誘電体薄膜により形成される。（ｍ−１）個の半反射層は、一定の間隔ｄ３で配置されている。なお、間隔ｄ３は光分岐素子２１における出射光の間隔ｄ２と等しくてもよいし、異なっていてもよい。
【００４４】
透明体２２２は、面２２１２に対して角度θ２１傾いた反射面を有する。半反射層を透過した光は、この反射面で反射して導光体２２１内を伝搬して面２２１１から出射される。面２２１１および面２２１２の法線に対する出射光の角度（出射角）はθ２２である。なお図４の例ではθ２２＝０°である（出射光は面２２１１に垂直である）ので、θ２２は図示していない。このようにして、光分岐素子２２から（ｎ×ｍ）個の光束が出射される。
【００４５】
図５は、出射光強度のシミュレーション結果を例示する図である。シミュレーションには、Synopsys社製LightToolsを用いた。入力光としてはφ２ｍｍのレーザー光を仮定し、これを図２の光分岐装置２で４×４個の光束に分岐する例を計算した。理想的な半反射層を仮定し、光吸収（損失）は無いものとして計算した。具体的には、半反射層２２１２１の反射率として７５％、半反射層２２１２２の反射率として６７％、半反射層２２１２３の反射率として５０％を仮定した。
【００４６】
図５（ａ）〜（ｄ）は、４×４個のマトリクス状の出射光のうち四隅の出射光の強度を示している。具体的には、図５（ａ）は左上、（ｂ）は右上、（ｃ）は左下、（ｄ）は右下の出射光の強度を示している。均一な強度の出射光が得られることが示されている。
【００４７】
なお、図２の例では透明体２２２が出射位置の１列毎に設けられていたが、透明体は出射位置毎に設けられていてもよい。つまり、光分岐素子２２は、（ｎ×ｍ）個の透明体を有していてもよい。なお、出射角をｚ軸からずらしたい場合は、透明体２２２をｙ軸周りに回転すればよい。
【００４８】
３．第３実施形態
図６は、第３実施形態に係る光分岐装置３の構成を示す図である。光分岐装置３は、第２実施形態で説明した光分岐装置２（二次元分岐装置）に加え、反射層３１を有する。光分岐装置２の面２２１１と反射層３１とは平行であり、間隔ｄ４を開けて配置されている。面２２１１と反射層３１との間の空間には、任意の被照射体を配置することができる。被照射体は、照射光の作用を受ける物体、または照射光に応じて動作する装置である。被照射体として、例えば、照射光に応じて物理状態を検知するセンサーが用いられる。光分岐装置３によれば、光分岐装置２を用いる場合と比較して、被照射体における光路長を２倍にすることができる。
【００４９】
４．変形例
本発明は上述の実施形態に限定されるものではなく、種々の変形実施が可能である。以下、変形例をいくつか説明する。以下の変形例のうち２つ以上のものが組み合わせ用いられてもよい。
【００５０】
導光体の形状は平行平板であるものに限られない。互いに平行な２つの面を有するものであれば、導光体の形状は板でなくてもよい。
【００５１】
本発明の光分岐装置は、例えば、原子光ポンピング装置、３Dスキャナー光源、レーザー加工機、サイネージなどに用いることができる。
【符号の説明】
【００５２】
１…光分岐装置、２…光分岐装置、３…光分岐装置、１１…導光体、１２…透明体、２１…光分岐素子、２２…光分岐素子、３１…反射層、１１１…面、１１２…面、２１１…導光体、２１２…透明体、２２１…導光体、２２２…透明体、１１１１…半反射層、２１１１…面、２１１２…面、２１１３…面、２２１１…面、２２１２…面、２２１３…面、２１１２１…半反射層
【図１】
2015102796.tif 000012
【図２】
2015102796.tif 000013
【図３】
2015102796.tif 000014
【図４】
2015102796.tif 000015
【図６】
2015102796.tif 000016
【図５】
2015102796.tif 000017